(57)【要約】      （修正有）【課題】花束、造花、生花などを保持するための花台を提供する。【解決手段】花を保持するための花台であって、該花台は、可撓性を有する平板状の本体部１を備え、該本体部は、その内面側に複数の切れ目２ａ〜２ｆが形成され、該切れ目に沿って折り曲げるとともに、前記本体部の両端にそれぞれ形成された係止部３ａ、３ｂと係合部４ａ、４ｂが係合されることによって角錐状とされており、該角錐状とされた前記本体部の上部５に花が挿入される開口が形成されていることを特徴とする花台。【選択図】図１
0003233531.tif 000002
【実用新案登録請求の範囲】
【請求項１】
花を保持するための花台であって、該花台は、可撓性を有する平板状の本体部を備え、該本体部は、その内面側に複数の切り込みが形成され、該切り込み目に沿って折り曲げるとともに、前記本体部の両端にそれぞれ形成された係止部と係合部が係合されることによって角錐状とされており、該角錐状とされた前記本体部の上部に花が挿入される開口が形成されていることを特徴とする花台。
【請求項２】
前記係止部は、第１係止部と第２係止部とで構成されるとともに、前記係合部は第１係合部と第２係合部とで構成されており、前記本体部の一端側に前記係止部と前記第２係合部が設けられており、前記本体部の他端側に前記第１係合部と前記第２係止部が設けられていることを特徴とする請求項１記載の花台。
【考案の詳細な説明】
【技術分野】
【０００１】  本考案は、花束やブーケ、生花、造花などの花（以下「花」という。）を保持するための花台である。
【背景技術】
【０００２】  花屋において、花は陶器やガラスなどの大型花瓶を使用し、展示販売されており、花を購入後は花のみを包装しそのまま購入者に（又は配送者の場合は別途箱詰め梱包されて）引き渡されていた。
【考案が解決しようとする課題】
【０００３】  購入者は花を花屋から持ち帰るにあたり、割れ物としての花瓶を別途購入する他は花屋のラッピングの有無によらず、花を不安定な既存の袋やビニールに入れて持ち帰るしかなく、移動の際、花を倒したり、落とすなど不安定な状態に置いた場合、商品の本質である花びらや花全体の形状を損ねることがあった（商品価値の喪失）。加えて、購入者や貰い手が花瓶を用意する必要があった（余剰費用負担）。
【０００４】  また、配送者は花全体を覆う花より一回り大きい段ボール箱等に箱詰め梱包を行い、花を内部で緩衝材や包装紙で固定する等時間と費用を包装に余計にかけている（過剰包装の費用負担）。
【０００５】  このことから、販売時より花台に花を挿入したり、花の持ち手部分を覆うなどして設置固定することで、花屋、購入者、配送者の店頭販売から購入後まで上述の商品価値の喪失を回避でき、商品価値を維持することができる。また、購入者は現状有姿のまま飾ることができる。これにより販売時の商品の本質を損ねず費用負担を減額することを解決する。
【０００６】  また、花と一体とした商品として店頭販売することで本考案に情報や意匠を付加でき、商品の付加価値も向上させる。
【課題を解決するための手段】
【０００７】  本考案は、上記した課題を解決するために、花を保持するための花台であって、該花台は、可撓性を有する平板状の本体部を備え、該本体部は、その内面側に複数の切り込みが形成され、該切り込み目に沿って折り曲げるとともに、前記本体部の両端にそれぞれ形成された係止部と係合部が係合されることによって角錐状とされており、該角錐状とされた前記本体部の上部に花が挿入される開口が形成されていることを特徴とする。
【考案の効果】
【０００８】  上述のように、本考案の花台は販売者、運送者、エンドユーザーの各問題を解決するため商品たる花の商品価値を最大限損ねることなく、なおかつ、商品の付加価値の増加をもたらすものである。また、販売者から紙素材では市場に存在しない考案であるとの評価を（私的にではあるが）得ており、市場における需要も期待できる。
【図面の簡単な説明】
【０００９】
【図１】本花台の展開図である。
【図２】本花台の斜視図である。
【考案を実施するための形態】
【００１０】  本花台に上から花を挿入したり、花の持ち手部分を覆い使用する。なお、花自体には短期保管用のジェル保湿剤が根元に装着されていることは販売上の常態であることからその場合には花自体の根元の自重でより安定した状態になる。
【実施例】
【００１１】  本考案の花台について図面に基づいて説明する。花台Ａは、段ボールで構成された平板状の本体部１を備えている。なお、この本体部１は段ボールに代えて可撓性を有する樹脂材で構成しても良いものである。そして、この本体部１は、上辺部が下辺部よりも短くされるとともに、この本体部１の内側には折り畳んで四角錐形状とするための切り込み目２ｂ、２ｃ、２ｄが３か所形成されている。【００１２】  前記した本体部１の一端側には切り込み目２ａを介して第１係止部３ａが形成されている。また、他端側には切り込み目２ｆを介して延長部が形成されており、この延長部に第１係合部４ａとしての細長い開口が形成されている。また、前記第１係止部３ａには、第２係合部４ｂとしての小さな開口が形成されている。さらに、前記した他端側には切れ目２ｅを介して第２係止部３ａとしての突起部が形成されている。【００１３】  上記のように構成された花台Ａは、切り込み目２ａ、２ｂ、２ｃ、２ｄ、２ｅ、２ｆに沿って折り曲げることで四角錐形状が出来上がる。そして、前記した第１係止部３ａが第１係合部４ａの開口に差し込まれることで四角錐形状が保持されることとなる。また、第２係止部３ａの突起部が第２係合部４ｂの開口に差し込まれることで四角錐形状がより強固に保持されることとなる。【００１４】  このように組み立てられた花台Ａは上方が四角形状の開口５が形成されるようになり、この開口５に花Ｈが差し込まれて保持されるようになる。【００１５】  上記した実施例の説明では、花台の形状を四角錐形状で説明したが、五角形状でも良く、六角形状や八角形状としても良いものである。なお、花台Ａの外面には店舗の広告を表示することも可能である。
【符号の説明】
【００１６】１          本体部
２ａ〜２ｆ  切れ目
３ａ        第１係止部
３ｂ        第１係合部
４ａ        第２係止部
４ｂ        第２係合部
５          開口
Ｈ          花
【図１】
0003233531.tif 000003
【図２】
0003233531.tif 000004
【手続補正書】
【提出日】令和3年4月28日(2021.4.28)
【手続補正１】
【補正対象書類名】実用新案登録請求の範囲
【補正対象項目名】請求項２
【補正方法】変更
【補正の内容】
【請求項２】
前記係止部は、第１係止部と第２係止部とで構成されるとともに、前記係合部は第１係合部と第２係合部とで構成されており、前記本体部の一端側に前記第１係止部と前記第２係合部が設けられており、前記本体部の他端側に前記第１係合部と前記第２係止部が設けられていることを特徴とする請求項１記載の花台。
【手続補正２】
【補正対象書類名】明細書
【補正対象項目名】００１２
【補正方法】変更
【補正の内容】
【００１２】    前記した本体部１の一端側には切れ目２ａを介して第１係止部３ａが形成されている。また、他端側には切れ目２ｆを介して延長部が形成されており、この延長部に第１係合部４ａとしての細長い開口が形成されている。また、前記第１係止部３ａには、第２係合部４ｂとしての小さな開口が形成されている。さらに、前記した他端側には切れ目２ｅを介して第２係止部３ｂとしての突起部が形成されている。
【手続補正３】
【補正対象書類名】明細書
【補正対象項目名】００１３
【補正方法】変更
【補正の内容】
【００１３】  上記のように構成された花台Ａは、切れ目２ａ、２ｂ、２ｃ、２ｄ、２ｅ、２ｆに沿って折り曲げることで四角錐形状が出来上がる。そして、前記した第１係止部３ａが第１係合部４ａの開口に差し込まれることで四角錐形状が保持されることとなる。また、第２係止部３ｂの突起部が第２係合部４ｂの開口に差し込まれることで四角錐形状がより強固に保持されることとなる。
【手続補正４】
【補正対象書類名】明細書
【補正対象項目名】００１６
【補正方法】変更
【補正の内容】
【００１６】１          本体部
２ａ〜２ｆ  切れ目
３ａ        第１係止部
３ｂ        第２係止部
４ａ        第１係合部
４ｂ        第２係合部
５          開口